(57)【要約】【課題】  受信信号の選択度特性が良好な受信装置を提供する。【解決手段】  ＵＨＦバンド動作時には、Ｂｕ端子から電源電圧が供給され、ＢＬ＋ＢＨ端子からは電源電圧が供給されない。その結果、スイッチング用ダイオードＤ３１，Ｄ３３がオン状態となり、スイッチング用ダイオードＤ３２がオフ状態となる。ＵＨＦバンド動作時には、ＡＮＴ端子から入力された信号のうち、ＵＨＦ信号のみがＵＨＦ入力同調回路１２に出力される。一方、ＶＨＦバンド動作時には、ＢＬ＋ＢＨ端子から電源電圧が供給され、Ｂｕ端子からは電源電圧が供給されない。その結果、スイッチング用ダイオードＤ３２がオン状態となり、スイッチング用ダイオードＤ３１，Ｄ３３がオフ状態となる。ＶＨＦバンド動作時には、ＡＮＴ端子から入力された信号のうち、ＶＨＦ信号のみがフィルタ部４を介してＶＨＦ入力同調部５に出力される。【選択図】        図３
2005109799.tif 000002
【特許請求の範囲】
【請求項１】
シングルコンバージョン方式の受信装置であって、
アンテナ端子から受信する入力信号を高周波増幅する高周波増幅回路と、
前記高周波増幅回路から出力される高周波信号を周波数変換および増幅する信号処理部とを備え、
前記高周波増幅回路は、
前記入力信号の高周波成分を通過させたのち、第１の周波数帯と、前記第１の周波数帯より低い第２の周波数帯とに応じて切り替えるアンテナ入力部と、
前記アンテナ入力部によって切り替えられた前記第２の周波数帯の信号をフィルタ処理するフィルタ部と、
前記フィルタ部によってフィルタ処理された前記第２の周波数帯の信号を同調および増幅する第２周波数帯入力同調部とを含む、受信装置。
【請求項２】
前記アンテナ入力部は、
前記入力信号の高周波成分を通過させるハイパスフィルタと、
前記第１の周波数帯に対する電源電圧が供給されたとき前記ハイパスフィルタを通過した信号から前記第１の周波数帯の信号を抽出し、前記第２の周波数帯に対する電源電圧が供給されたとき前記ハイパスフィルタを通過した信号から前記第２の周波数帯の信号を抽出する入力切替回路とを含む、請求項１に記載の受信装置。
【請求項３】
前記フィルタ部は、
前記アンテナ入力部によって抽出された前記第２の周波数帯の信号の高周波成分を通過させるＩＦフィルタと、
前記ＩＦフィルタを通過した前記第２の周波数帯の信号を並列共振構造によって共振トラップするトラップ回路とを含み、
前記トラップ回路は、第１のスイッチング用端子から電源電圧が供給されたとき前記並列共振構造が働かず無効となり、第２のスイッチング用端子から電源電圧が供給されたとき前記並列共振構造が機能して有効となる、請求項１に記載の受信装置。
【請求項４】
前記第２周波数帯入力同調部は、
前記第２の周波数帯のハイバンドに対する電源電圧が供給されたとき前記アンテナ入力部と合わせて整合インダクターとして機能し、前記第２の周波数帯のローバンドに対する電源電圧が供給されたとき誘導ｍ型のローパスフィルタとして機能する、請求項１に記載の受信装置。
【請求項５】
前記第２周波数帯入力同調部は、
前記第２の周波数帯のハイバンドに対する電源電圧が供給されたとき、可変型のイメージトラップ回路が形成され、前記第２の周波数帯のローバンドに対する電源電圧が供給されたとき、固定型のイメージトラップ回路が形成される、請求項１に記載の受信装置。
【請求項６】
前記第２周波数帯入力同調部は、
前記第２の周波数帯のハイバンドに対する電源電圧が供給されたときに前記高周波増幅回路と前記信号処理部との間のトラッキング特性を補正するためのコンデンサーを含む、請求項１に記載の受信装置。
【請求項７】
前記第１の周波数帯は、ＵＨＦ帯である、請求項１または２に記載の受信装置。
【請求項８】
前記第２の周波数帯は、ＶＨＦ帯である、請求項１〜６のいずれかに記載の受信装置。
【発明の詳細な説明】
【技術分野】
【０００１】
この発明は、受信装置に関し、より特定的には、シングルコンバージョン方式の受信装置に関する。
【背景技術】
【０００２】
アナログのテレビジョン放送が開始されて５０年が経ち、テレビ保有世帯は現在２０００万〜３０００万世帯となっている。日本では、２００３年にようやくデジタルの地上波放送が開始され、２０１１年にはアナログ放送が停止することになっている。ケーブルテレビおよびＢＳ（Broadcasting Satellite）放送では、既にデジタル方式に切り替えられつつある。
【０００３】
テレビジョン信号受信用チューナは、たとえば米国（ＵＳ）向けチューナでは、４７０〜８６０ＭＨｚを受信するＵＨＦ（Ultra High Frequency）バンドと、１７０〜４７０ＭＨｚを受信するＶＨＦ（Very High Frequency）ハイバンドと、５４〜１７０ＭＨｚを受信するＶＨＦローバンドとに分割され、バンドごとに受信回路を有する。ただし、バンドがどのように分割されるかは仕向け地により異なり、特に規定されていない。従来のテレビジョン信号受信用チューナでは、一般に、シングルコンバージョン方式（スーパーヘテロダイン方式）が用いられる。
【０００４】
図１０は、従来のシングルコンバージョン方式のチューナ１００の概略的なブロック構成を示した概略ブロック図である。
【０００５】
図１０を参照して、従来のシングルコンバージョン方式のチューナ１００は、ＩＦ（Intermediate Frequency）フィルタ１０１と、入力回路１０２と、ＵＨＦ入力同調回路１０３と、ＡＧＣ（Automatic Gain Control）抵抗１０４と、ＵＨＦ高周波増幅器１０５と、ＵＨＦ出力同調回路１０６と、ＵＨＦミキサー回路１０７と、ＵＨＦ局部発振回路１０８と、ＶＨＦミキサー回路１１８と、局部発振信号切替スイッチ１１９と、ＶＨＦ局部発振回路１２０，１２１と、ＩＦ増幅回路１２２と、ＶＨＦ入力同調部２００と、ＶＨＦ出力同調部３００とを備える。
【０００６】
ＩＦフィルタ１０１は、入力端子（アンテナ端子）から受信したテレビジョン信号の高域周波数（たとえば５４ＭＨｚ以上）を通過させるハイパスフィルタである。入力回路１０２は、ＩＦフィルタ１０１を通過したテレビジョン信号の中からＵＨＦ信号を抽出する。ＵＨＦ入力同調回路１０３は、入力回路１０２によって抽出されたＵＨＦ信号を入力同調する。ＡＧＣ抵抗１０４は、ＡＧＣ０端子とＵＨＦ高周波増幅器１０５との間に接続される。ＡＧＣ０端子は、図示しない映像信号復調回路より利得制御信号を受ける。
【０００７】
ＵＨＦ高周波増幅器１０５は、ＡＧＣ０端子からＡＧＣ抵抗１０４を介して印加される利得制御電圧を受けて、ＵＨＦ入力同調回路１０３によって入力同調されたＵＨＦ信号を増幅する。ＵＨＦ出力同調回路１０６は、ＵＨＦ高周波増幅器１０５によって増幅されたＵＨＦ信号を出力同調する。ＵＨＦミキサー回路１０７は、ＵＨＦ局部発振回路１０８からの局部発振信号を受けて、ＵＨＦ出力同調回路１０６によって出力同調されたＵＨＦ信号をＩＦ信号に周波数変換する。
【０００８】
一方、ＩＦフィルタ１０１を通過したテレビジョン信号のうちＶＨＦ信号は、ＶＨＦ入力同調部２００に入力される。ＶＨＦ入力同調部２００は、ハイバンド／ローバンド切替スイッチ１０９と、ＶＨＦハイバンド入力同調回路１１０と、ＶＨＦローバンド入力同調回路１１１と、ＡＧＣ抵抗１１２と、ＶＨＦ高周波増幅器１１３とを含む。
【０００９】
ハイバンド／ローバンド切替スイッチ１０９は、ＶＨＦ信号をＶＨＦハイバンド信号とＶＨＦローバンド信号とに応じて切り替える。ＶＨＦハイバンド入力同調回路１１０は、ＶＨＦハイバンド信号を入力同調する。ＶＨＦローバンド入力同調回路１１１は、ＶＨＦローバンド信号を入力同調する。ＡＧＣ抵抗１１２は、ＡＧＣ０端子とＶＨＦ高周波増幅器１１３との間に接続される。ＶＨＦ高周波増幅器１１３は、ＡＧＣ０端子からＡＧＣ抵抗１１２を介して印加される利得制御電圧を受けて、ＶＨＦハイバンド入力同調回路１１０およびＶＨＦローバンド入力同調回路１１１によってそれぞれ入力同調されたＶＨＦ信号を増幅する。
【００１０】
ＶＨＦ高周波増幅器１１３によって増幅されたＶＨＦ信号は、ＶＨＦ出力同調部３００に入力される。ＶＨＦ出力同調部３００は、ハイバンド／ローバンド切替スイッチ１１４，１１７と、ＶＨＦハイバンド出力同調回路１１５と、ＶＨＦローバンド出力同調回路１１６とを含む。
【００１１】
ハイバンド／ローバンド切替スイッチ１１４は、ＶＨＦ高周波増幅器１１３によって増幅されたＶＨＦ信号をＶＨＦハイバンド信号とＶＨＦローバンド信号とで切り替える。ＶＨＦハイバンド出力同調回路１１５は、ＶＨＦハイバンド信号を出力同調する。ＶＨＦローバンド出力同調回路１１６は、ＶＨＦローバンド信号を出力同調する。ハイバンド／ローバンド切替スイッチ１１７は、ＶＨＦハイバンド出力同調回路１１５によって出力同調されたＶＨＦハイバンド信号とＶＨＦローバンド出力同調回路１１６によって出力同調されたＶＨＦローバンド信号とを切り替える。
【００１２】
ＶＨＦミキサー回路１１８は、ＶＨＦ局部発振回路１２０からの局部発振信号またはＶＨＦ局部発振回路１２１からの局部発振信号を受けて、ＶＨＦ出力同調部３００によって出力同調されたＶＨＦ信号をＩＦ信号に周波数変換する。局部発振信号切替スイッチ１１９は、ＶＨＦ信号がハイバンドであるかローバンドであるかに応じて、ＶＨＦ局部発振回路１２０からの局部発振信号とＶＨＦ局部発振回路１２１からの局部発振信号とを切り替える。ＩＦ増幅回路１２２は、ＵＨＦミキサー回路１０７またはＶＨＦミキサー回路１１８によって周波数変換されたＩＦ信号を増幅して出力端子に出力する。
【００１３】
なお、従来のシングルコンバージョン方式のチューナ１００における実際の選局動作は、図示しないＰＬＬ（Phase Locked Loop）回路により行なわれる。次に、チューナ１００の具体的な回路構成の一部について説明する。
【００１４】
図１１は、従来のシングルコンバージョン方式のチューナ１００の具体的な回路構成の一部を示した回路図である。
【００１５】
図１１を参照して、従来のシングルコンバージョン方式のチューナ１００は、ＩＦフィルタ１０１と、入力回路１０２と、ＶＨＦ入力同調部２００とを備える。ＩＦフィルタ１０１は、直流阻止コンデンサーＣ１０１を介して、入力回路１０２およびＶＨＦ入力同調部２００に接続される。
【００１６】
入力回路１０２は、ＵＨＦ／ＶＨＦ切替用ダイオードＤ１０１と、バイアス抵抗Ｒ１０１，Ｒ１０２とを含む。ＵＨＦ／ＶＨＦ切替用ダイオードＤ１０１は、ノードＮ１０１とノードＮ１０２との間にノードＮ１０１に向かって順方向に接続される。バイアス抵抗Ｒ１０１は、ノードＮ１０１と接地ノードとの間に接続される。バイアス抵抗Ｒ１０２は、ノードＮ１０２とＢｕ０端子との間に接続される。Ｂｕ０端子は、ＵＨＦ信号に対する電源供給端子である。入力回路１０２（ノードＮ１０２）は、直流阻止コンデンサーＣ１０２を介して、ＵＨＦ入力同調回路１０３に接続される（図１０参照）。
【００１７】
ＶＨＦ入力同調部２００は、ＲＦ（Radio Frequency）チョークコイルＬ２０１，Ｌ２０６と、バイパスコンデンサーＣ２０１，Ｃ２０３，Ｃ２０５，Ｃ２０７〜Ｃ２０９と、ＶＨＦローバンド同調用コイルＬ２０２と、ＶＨＦローバンド整合用コイルＬ２０３と、ダンピング抵抗Ｒ２０１と、直流阻止コンデンサーＣ２０２，Ｃ２０４，Ｃ２０６と、ハイバンド／ローバンド切替用ダイオードＤ２０１と、ＶＨＦハイバンド整合用コイルＬ２０４と、ＶＨＦハイバンド同調用コイルＬ２０５と、同調用可変容量ダイオードＤ２０２と、バイアス抵抗Ｒ２０２，Ｒ２０３と、結合用可変容量ダイオードＤ２０３と、ＡＧＣ抵抗１１２と、ＶＨＦ高周波増幅器（ＭＯＳトランジスタ）１１３とを含む。
【００１８】
ＲＦチョークコイルＬ２０１は、ノードＮ１０１とＢＬ０端子との間に接続される。ＢＬ０端子は、ＶＨＦローバンド信号に対する電源供給端子である。バイパスコンデンサーＣ２０１は、ＢＬ０端子と接地ノードとの間に接続される。ＶＨＦローバンド同調用コイルＬ２０２は、ノードＮ１０１とノードＮ１０５との間に接続される。ＶＨＦローバンド整合用コイルＬ２０３は、ノードＮ１０１とノードＮ１０３との間に接続される。ダンピング抵抗Ｒ２０１は、ノードＮ１０３とノードＮ１０６との間に接続される。直流阻止コンデンサーＣ２０２は、ノードＮ１０３とノードＮ１０４との間に接続される。
【００１９】
ハイバンド／ローバンド切替用ダイオードＤ２０１は、ノードＮ１０４とノードＮ１０６との間にノードＮ１０６に向かって順方向に接続される。ＶＨＦハイバンド整合用コイルＬ２０４は、ノードＮ１０４とＢＨ０端子との間に接続される。ＢＨ０端子は、ＶＨＦハイバンド信号に対する電源供給端子である。バイパスコンデンサーＣ２０３は、ＢＨ０端子と接地ノードとの間に接続される。直流阻止コンデンサーＣ２０４およびＶＨＦハイバンド同調用コイルＬ２０５は、ノードＮ１０５とノードＮ１０７との間に直列接続される。
【００２０】
同調用可変容量ダイオードＤ２０２は、ノードＮ１０７と接地ノードとの間にノードＮ１０７に向かって順方向に接続される。バイアス抵抗Ｒ２０２は、ノードＮ１０７とＶｔ０端子との間に接続される。Ｖｔ０端子は、ＶＨＦ入力同調部２００などに対する同調端子である。バイパスコンデンサーＣ２０５は、Ｖｔ０端子と接地ノードとの間に接続される。結合用可変容量ダイオードＤ２０３は、ノードＮ１０７とノードＮ１０８との間にノードＮ１０７に向かって順方向に接続される。バイアス抵抗Ｒ２０３は、ノードＮ１０８と接地ノードとの間に接続される。
【００２１】
ＡＧＣ抵抗１１２は、ノードＮ１０９とＡＧＣ０端子との間に接続される。ＡＧＣ０端子は、図示しない映像信号復調回路より利得制御信号を受ける。バイパスコンデンサーＣ２０７は、ノードＮ１０９と接地ノードとの間に接続される。バイパスコンデンサーＣ２０８は、ＡＧＣ０端子と接地ノードとの間に接続される。ＶＨＦ高周波増幅器（ＭＯＳトランジスタ）１１３は、ソースがノードＮ１０９に接続され、ドレインが直流阻止コンデンサーＣ２０６を介してノードＮ１０８に接続され、バックゲートが接地ノードに接続される。
【００２２】
ＲＦチョークコイルＬ２０６は、ＭＯＳトランジスタ１１３のゲートと＋Ｂ０端子との間に接続される。＋Ｂ０端子は、ＶＨＦ入力同調部２００の電源供給端子である。バイパスコンデンサーＣ２０９は、＋Ｂ０端子と接地ノードとの間に接続される。ＶＨＦ入力同調部２００（ＭＯＳトランジスタ１１３のゲート）は、ＶＨＦ出力同調部３００に接続される（図１０参照）。
【００２３】
また、特許文献１に記載された従来のテレビジョンチューナ入力回路は、コイルとコンデンサとから形成される共振トラップの後段に、コイルとコンデンサとから形成されるπ型ハイパスフィルタを直列に接続し、さらに当該ハイパスフィルタの後段に結合コンデンサを介して入力同調回路を直列に接続して構成されることを特徴とする。
【００２４】
また、特許文献２に記載された従来の電子同調チューナは、ＶＨＦ増幅回路およびＵＨＦ増幅回路に対するデュアルゲートＭＯＳトランジスタのゲートに、ＩＦ増幅回路を動作させる電圧供給源よりバイアス電圧を印加する。当該電子同調チューナは、バイアス電圧印加時においてデュアルゲートＭＯＳトランジスタのオフ時における遮断特性が向上するのを利用することにより、ＶＨＦ受信時のＵＨＦチャンネル信号およびＵＨＦ受信時のＶＨＦチャンネル信号の高調波がミキサー回路へ侵入するのを抑制する。
【特許文献１】実開平３−１２８３３９号公報
【特許文献２】特開平４−３６９９１８号公報
【発明の開示】
【発明が解決しようとする課題】
【００２５】
図１１に示した従来のシングルコンバージョン方式のチューナ１００は、ＵＨＦ帯側の入力回路１０２に対応する回路がＶＨＦ帯側に存在しないため、ＶＨＦ入力同調部２００に入力するＶＨＦ信号がＵＨＦ信号による妨害信号の影響を受ける。そのため、ＶＨＦローバンド信号受信時のＶＨＦ入力同調部２００における受信信号の選択度特性に問題があった。
【００２６】
また、図１１に示した従来のシングルコンバージョン方式のチューナ１００は、イメージ除去比が十分でない。そのため、ＶＨＦローバンド信号受信時およびＶＨＦハイバンド信号受信時のＶＨＦ入力同調部２００における受信信号の選択度特性に問題があった。
【００２７】
また、図１１に示した従来のシングルコンバージョン方式のチューナ１００は、同調用ダイオードＤ２０２と結合用可変容量ダイオードＤ２０３とが等価的に並列接続となる。そのため、ＶＨＦハイバンド信号受信時のトラッキングずれが大きくなるという問題があった。なお、ここでのトラッキングずれとは、局部発振周波数と高周波（ＲＦ）増幅回路の同調周波数との間の偏差をいう。
【００２８】
また、図１１に示した従来のシングルコンバージョン方式のチューナ１００は、ＵＳ６チャンネル（映像周波数８３．２５ＭＨｚ、音声周波数８７．７５ＭＨｚ）受信時の妨害比が−４０ｄＢｃ程度になるという問題があった。
【００２９】
また、図１１に示した従来のシングルコンバージョン方式のチューナ１００は、５〜４０ＭＨｚというＩＦ周波数以下での妨害耐性が弱く、特に市民バンド（ＣＢ：Citizen Band）の２７ＭＨｚでの妨害耐性が弱いという問題があった。
【００３０】
また、図１１に示した従来のシングルコンバージョン方式のチューナ１００は、ＶＨＦ信号受信時において、大振幅のＵＨＦ信号に対して除去特性が十分でないという問題があった。
【００３１】
特許文献１に記載された従来のテレビジョンチューナ入力回路および特許文献２に記載された従来の電子同調チューナは、上記の諸問題のいくつかを解決し得るものの、すべてを解決できるわけではない。また、解決手段も特許文献１，２に開示された手段には限られない。
【００３２】
それゆえに、この発明の目的は、受信信号の選択度特性が良好な受信装置を提供することである。
【課題を解決するための手段】
【００３３】
この発明は、シングルコンバージョン方式の受信装置であって、アンテナ端子から受信する入力信号を高周波増幅する高周波増幅回路と、高周波増幅回路から出力される高周波信号を周波数変換および増幅する信号処理部とを備える。高周波増幅回路は、入力信号の高周波成分を通過させたのち、第１の周波数帯と、第１の周波数帯より低い第２の周波数帯とに応じて切り替えるアンテナ入力部と、アンテナ入力部によって切り替えられた第２の周波数帯の信号をフィルタ処理するフィルタ部と、フィルタ部によってフィルタ処理された第２の周波数帯の信号を同調および増幅する第２周波数帯入力同調部とを含む。
【００３４】
好ましくは、アンテナ入力部は、入力信号の高周波成分を通過させるハイパスフィルタと、第１の周波数帯に対する電源電圧が供給されたときハイパスフィルタを通過した信号から第１の周波数帯の信号を抽出し、第２の周波数帯に対する電源電圧が供給されたときハイパスフィルタを通過した信号から第２の周波数帯の信号を抽出する入力切替回路とを含む。
【００３５】
より好ましくは、フィルタ部は、アンテナ入力部によって抽出された第２の周波数帯の信号の高周波成分を通過させるＩＦフィルタと、ＩＦフィルタを通過した第２の周波数帯の信号を並列共振構造によって共振トラップするトラップ回路とを含む。トラップ回路は、第１のスイッチング用端子から電源電圧が供給されたとき並列共振構造が働かず無効となり、第２のスイッチング用端子から電源電圧が供給されたとき並列共振構造が機能して有効となる。
【００３６】
より好ましくは、第２周波数帯入力同調部は、第２の周波数帯のハイバンドに対する電源電圧が供給されたときアンテナ入力部と合わせて整合インダクターとして機能し、第２の周波数帯のローバンドに対する電源電圧が供給されたとき誘導ｍ型のローパスフィルタとして機能する。
【００３７】
より好ましくは、第２周波数帯入力同調部は、第２の周波数帯のハイバンドに対する電源電圧が供給されたとき、可変型のイメージトラップ回路が形成され、第２の周波数帯のローバンドに対する電源電圧が供給されたとき、固定型のイメージトラップ回路が形成される。
【００３８】
より好ましくは、第２周波数帯入力同調部は、第２の周波数帯のハイバンドに対する電源電圧が供給されたときに高周波増幅回路と信号処理部との間のトラッキング特性を補正するためのコンデンサーを含む。
【００３９】
より好ましくは、第１の周波数帯は、ＵＨＦ帯である。
【００４０】
より好ましくは、第２の周波数帯は、ＶＨＦ帯である。
【発明の効果】
【００４１】
この発明によれば、受信信号の選択度特性が良好となる。
【発明を実施するための最良の形態】
【００４２】
以下、この発明の実施の形態について図面を参照して詳しく説明する。なお、図中同一または相当部分には同一符号を付してその説明は繰り返さない。
【００４３】
図１は、この発明の実施の形態によるシングルコンバージョン方式のチューナ１の概略的なブロック構成を示した概略ブロック図である。
【００４４】
この発明の実施の形態によるシングルコンバージョン方式（スーパーヘテロダイン方式）のチューナ１は、従来のテレビジョン放送波の受信のみならず、デジタル地上放送波、およびケーブルテレビの回線を利用したケーブルインターネットのパケットデータ受信にも使用することができる。
【００４５】
図１を参照して、この発明の実施の形態によるチューナ１は、高周波増幅回路２と、ＵＨＦミキサー回路１６と、ＵＨＦ局部発振回路１７と、ＶＨＦミキサー回路３５と、局部発振信号切替スイッチ３６と、ＶＨＦ局部発振回路３７，３８と、ＩＦ増幅回路４０とを備える。
【００４６】
高周波増幅回路２は、ハイパスフィルタ（ＨＰＦとも称す）１０と、ＵＨＦ入力回路１１と、ＵＨＦ入力同調回路１２と、ＡＧＣ抵抗１３，２９と、ＵＨＦ高周波増幅器１４と、ＵＨＦ出力同調回路１５と、ＶＨＦ入力回路２１と、ＩＦフィルタ２２と、ＦＭ（Frequency Modulation）トラップ回路２３と、トラップ切替スイッチ２４と、ハイバンド／ローバンド切替スイッチ２５，３１，３４と、ＶＨＦハイバンド入力同調回路２６と、ローパスフィルタ（ＬＰＦ）２７と、ＶＨＦローバンド入力同調回路２８と、ＶＨＦ高周波増幅器３０と、ＶＨＦハイバンド出力同調回路３２と、ＶＨＦローバンド出力同調回路３３とを含む。
【００４７】
ハイパスフィルタ１０は、入力端子（アンテナ端子）から受信したテレビジョン信号の高域周波数を通過させる。ＵＨＦ入力回路１１は、ハイパスフィルタ１０を通過したテレビジョン信号のうち、ＵＨＦ信号を抽出する。ＵＨＦ入力同調回路１２は、ＵＨＦ入力回路１１によって抽出されたＵＨＦ信号を入力同調する。ＡＧＣ抵抗１３は、ＡＧＣ端子とＵＨＦ高周波増幅器１４との間に接続される。ＡＧＣ端子は、図示しない映像信号復調回路より利得制御信号を受ける。
【００４８】
ＵＨＦ高周波増幅器１４は、ＡＧＣ端子からＡＧＣ抵抗１３を介して印加される利得制御電圧を受けて、ＵＨＦ入力同調回路１２によって入力同調されたＵＨＦ信号を増幅する。ＵＨＦ出力同調回路１５は、ＵＨＦ高周波増幅器１４によって増幅されたＵＨＦ信号を出力同調する。ＵＨＦミキサー回路１６は、ＵＨＦ局部発振回路１７からの局部発振信号を受けて、ＵＨＦ出力同調回路１５によって出力同調されたＵＨＦ信号をＩＦ信号に周波数変換する。
【００４９】
一方、ＶＨＦ入力回路２１は、ハイパスフィルタ１０を通過したテレビジョン信号のうち、ＶＨＦ信号を抽出する。ＩＦフィルタ２２は、ＶＨＦ入力回路２１によって抽出されたＶＨＦ信号の高周波領域を通過させるハイパスフィルタである。なお、ＵＨＦ入力回路１１とＶＨＦ入力回路２１とは、実際には１つの回路で表わされ、電源電圧印加の有無に応じてＵＨＦ帯とＶＨＦ帯とを切り替える。ＦＭトラップ回路２３は、ＩＦフィルタ２２を通過したＶＨＦ信号を含む高域周波数をさらに共振トラップする。トラップ切替スイッチ２４は、ＦＭトラップ回路２３を経由するかどうかを切替制御する。
【００５０】
ハイバンド／ローバンド切替スイッチ２５は、ＩＦフィルタ２２（およびＦＭトラップ回路２３）を経由したＶＨＦ信号を、ＶＨＦハイバンド信号とＶＨＦローバンド信号とで切り替える。ＶＨＦハイバンド入力同調回路２６は、ＶＨＦハイバンド信号を入力同調する。ローパスフィルタ２７は、ＶＨＦローバンド信号以外の高周波信号を除去する。ＶＨＦローバンド入力同調回路２８は、ＶＨＦローバンド信号を入力同調する。ＡＧＣ抵抗２９は、ＡＧＣ端子とＶＨＦ高周波増幅器３０との間に接続される。ＶＨＦ高周波増幅器３０は、ＡＧＣ端子からＡＧＣ抵抗２９を介して印加される利得制御電圧を受けて、ＶＨＦハイバンド入力同調回路２６およびＶＨＦローバンド入力同調回路２８によってそれぞれ入力同調されたＶＨＦ信号を増幅する。
【００５１】
ハイバンド／ローバンド切替スイッチ３１は、ＶＨＦ高周波増幅器３０によって増幅されたＶＨＦ信号をＶＨＦハイバンド信号とＶＨＦローバンド信号とで切り替える。ＶＨＦハイバンド出力同調回路３２は、ＶＨＦハイバンド信号を出力同調する。ＶＨＦローバンド出力同調回路３３は、ＶＨＦローバンド信号を出力同調する。ハイバンド／ローバンド切替スイッチ３４は、ＶＨＦハイバンド出力同調回路３２によって出力同調されたＶＨＦハイバンド信号とＶＨＦローバンド出力同調回路３３によって出力同調されたＶＨＦローバンド信号とを切り替える。
【００５２】
ＶＨＦミキサー回路３５は、ＶＨＦ局部発振回路３７からの局部発振信号またはＶＨＦ局部発振回路３８からの局部発振信号を受けて、ＶＨＦハイバンド出力同調回路３２またはＶＨＦローバンド出力同調回路３３によって出力同調されたＶＨＦ信号をＩＦ信号に周波数変換する。局部発振信号切替スイッチ３６は、ＶＨＦ信号がハイバンドであるかローバンドであるかに応じて、ＶＨＦ局部発振回路３７からの局部発振信号とＶＨＦ局部発振回路３８からの局部発振信号とを切り替える。ＩＦ増幅回路４０は、ＵＨＦミキサー回路１６またはＶＨＦミキサー回路３５によって周波数変換されたＩＦ信号を増幅して出力端子に出力する。
【００５３】
なお、図１に示したチューナ１における実際の選局動作は、図示しないＰＬＬ回路により行なわれる。次に、高周波増幅回路２のより具体的なブロック構成の一例（高周波増幅回路２Ａ）について説明する。
【００５４】
図２は、この発明の実施の形態による高周波増幅回路２Ａの具体的なブロック構成を示したブロック図である。
【００５５】
図２を参照して、高周波増幅回路２Ａは、アンテナ入力部３と、ＵＨＦ入力同調回路１２と、ＵＨＦ高周波増幅器１４と、ＵＨＦ出力１次同調回路１５ａと、ＵＨＦ出力２次同調回路１５ｂと、フィルタ部４と、ＶＨＦ入力同調部５と、ＶＨＦ出力同調部６とを備える。
【００５６】
アンテナ入力部３は、ハイパスフィルタ（ＨＰＦとも称す）１０と、ＵＨＦ入力回路１１と、ＶＨＦ入力回路２１とを含む。ハイパスフィルタ１０は、ＡＮＴ（アンテナ）端子から入力するテレビジョン信号の高域周波数を通過させる。ＵＨＦ入力回路１１は、Ｂｕ端子から印加されるＵＨＦ信号の電源電圧を受けて、ハイパスフィルタ１０を通過したテレビジョン信号のうちＵＨＦ信号を抽出する。ＶＨＦ入力回路２１は、ＢＬ端子から印加されるＶＨＦローバンド信号の電源電圧、およびＢＨ端子から印加されるＶＨＦハイバンド信号の電源電圧を受けて、ハイパスフィルタ１０を通過したテレビジョン信号のうちＶＨＦ信号を抽出する。なお、ＵＨＦ入力回路１１とＶＨＦ入力回路２１とは、実際には１つの回路で表わされ、Ｂｕ端子、ＢＬ端子およびＢＨ端子からそれぞれ印加される電源電圧の有無に応じてＵＨＦ帯とＶＨＦ帯とを切り替える。
【００５７】
一般に、ＡＮＴ（アンテナ）端子には、テレビジョン信号のみならず、ＬＦ（Low Frequency）帯のＡＭ（Amplitude Modulation）ラジオ放送波、ＨＦ（High Frequency）帯の短波放送波、ＣＢ（市民バンド）波、業務用無線波、ＦＭ放送波、および最近では携帯電話の電波など、テレビジョン信号とは異なる多数の妨害信号が受信される。テレビジョン信号とは異なるこれらの多数の妨害信号はテレビジョン信号に対して歪み成分となり、実際のテレビ画面ではウィンドワイパー障害またはビート障害として現れる。したがって、アンテナ入力部３においてこれらの妨害信号を除去する必要がある。
【００５８】
この発明の実施の形態によるチューナ１では、ＵＨＦ帯を４７０〜８６０ＭＨｚ、ＶＨＦ帯を５０〜４７０ＭＨｚとなるように設定している。ＵＨＦ帯を４７０〜８６０ＭＨｚとすることにより、ＵＨＦ信号受信時に、ＶＨＦ帯、ＦＭ帯、ＡＭ帯などの低周波の信号を除去することができる。また、ＶＨＦ帯を５０〜４７０ＭＨｚとすることにより、ＶＨＦ信号受信時に、ＵＨＦ帯、マイクロ波帯などの高周波の信号を除去することができる。このような信号帯域の弁別を実現するアンテナ入力部３の具体的な回路構成については、後に詳述する。
【００５９】
ＵＨＦ入力同調回路１２は、Ｖｔ端子から印加される同調電圧を受けて、ＵＨＦ入力回路１１によって抽出されたＵＨＦ信号を入力同調する。ＵＨＦ高周波増幅器１４は、ＡＧＣ端子から印加される利得制御電圧を受けて、ＵＨＦ入力同調回路１２によって入力同調されたＵＨＦ信号を増幅する。ＵＨＦ出力１次同調回路１５ａは、Ｂｕ端子から印加されるＵＨＦ信号の電源電圧、およびＶｔ端子から印加される同調電圧を受けて、ＵＨＦ高周波増幅器１４によって増幅されたＵＨＦ信号を出力同調する。ＵＨＦ出力２次同調回路１５ｂは、Ｖｔ端子から印加される同調電圧を受けて、ＵＨＦ出力１次同調回路１５ａによって出力同調されたＵＨＦ信号をさらに出力同調し、ＵＨＦミキサー回路１６に出力する（図１参照）。
【００６０】
一方、ＶＨＦ入力回路２１によって抽出されたＶＨＦ信号は、フィルタ部４に入力される。フィルタ部４は、ＩＦフィルタ２２と、ＦＭトラップ回路２３とを含む。ＩＦフィルタ２２は、ＶＨＦ入力回路２１によって抽出されたＶＨＦ信号の高周波領域を通過させるハイパスフィルタである。ＦＭトラップ回路２３は、ＦＭ端子から印加されるスイッチング電圧を受けて、ＩＦフィルタ２２を通過したＶＨＦ信号を含む高域周波数をさらに共振トラップする。
【００６１】
ＩＦフィルタ２２およびＦＭトラップ回路２３は、ともに妨害信号除去用フィルタである。ＩＦフィルタ２２は、ＩＦ信号のフィードスルー成分、ＣＢ波、およびＡＭラジオ放送波など、５０ＭＨｚ以下の無線妨害信号を除去する。ＦＭトラップ回路２３は、ＵＳ向けチューナにおいて発生するＵＳ６チャンネルのビート妨害を除去する。ＦＭトラップ回路２３のトラップ共振周波数は、ＵＳ６チャンネルの音声周波数またはその近傍に設定される。このようなフィルタリングを実現するフィルタ部４の具体的な回路構成については、後に詳述する。
【００６２】
ＦＭトラップ回路２３によって共振トラップされたＶＨＦ信号は、ＶＨＦ入力同調部５に入力される。ＶＨＦ入力同調部５は、ハイバンド／ローバンド切替回路２５と、ＶＨＦハイバンド入力同調回路２６と、ＶＨＦローバンド入力同調回路２８と、ＶＨＦ高周波増幅器３０とを含む。
【００６３】
ハイバンド／ローバンド切替スイッチ２５は、ＢＬ端子から印加されるＶＨＦローバンド信号の電源電圧、およびＢＨ端子から印加されるＶＨＦハイバンド信号の電源電圧を受けて、ＩＦフィルタ２２およびＦＭトラップ回路２３を経由したＶＨＦ信号をＶＨＦハイバンド信号とＶＨＦローバンド信号とで切り替える。ＶＨＦハイバンド入力同調回路２６は、Ｖｔ端子から印加される同調電圧を受けて、ＶＨＦハイバンド信号を入力同調する。ＶＨＦローバンド入力同調回路２８は、Ｖｔ端子から印加される同調電圧を受けて、ＶＨＦローバンド信号を入力同調する。ＶＨＦ高周波増幅器３０は、ＡＧＣ端子から印加される利得制御電圧を受けて、ＶＨＦハイバンド入力同調回路２６およびＶＨＦローバンド入力同調回路２８によってそれぞれ入力同調されたＶＨＦ信号を増幅する。
【００６４】
このようにしてＶＨＦ信号の同調および増幅を実現するＶＨＦ入力同調部５の具体的な回路構成については、後に詳述する。なお、上記で説明したＶＨＦ入力同調部５のブロック分けは概念上のものであって、実際の回路では、必ずしも１ブロックに１回路が明確に対応するわけではない。これは、図１，２の他の構成要素についても同じである。
【００６５】
ＶＨＦ入力同調部５によって同調および増幅されたＶＨＦ信号は、ＶＨＦ出力同調部６に入力される。ＶＨＦ出力同調部６は、ハイバンド／ローバンド切替回路３１，３４と、ＶＨＦハイバンド出力１次同調回路３２ａと、ＶＨＦハイバンド出力２次同調回路３２ｂと、ＶＨＦローバンド出力１次同調回路３３ａと、ＶＨＦローバンド出力２次同調回路３３ｂとを含む。
【００６６】
ハイバンド／ローバンド切替スイッチ３１は、ＢＬ端子から印加されるＶＨＦローバンド信号の電源電圧、およびＢＨ端子から印加されるＶＨＦハイバンド信号の電源電圧を受けて、ＶＨＦ高周波増幅器３０によって増幅されたＶＨＦ信号をＶＨＦハイバンド信号とＶＨＦローバンド信号とで切り替える。ＶＨＦハイバンド出力１次同調回路３２ａは、Ｖｔ端子から印加される同調電圧を受けて、ＶＨＦハイバンド信号を出力同調する。ＶＨＦローバンド出力１次同調回路３３ａは、Ｖｔ端子から印加される同調電圧を受けて、ＶＨＦローバンド信号を出力同調する。
【００６７】
ＶＨＦハイバンド出力２次同調回路３２ｂは、Ｖｔ端子から印加される同調電圧を受けて、ＶＨＦハイバンド出力１次同調回路３２ａによって出力同調されたＶＨＦハイバンド信号をさらに出力同調する。ＶＨＦローバンド出力２次同調回路３３ｂは、Ｖｔ端子から印加される同調電圧を受けて、ＶＨＦローバンド出力１次同調回路３３ａによって出力同調されたＶＨＦローバンド信号をさらに出力同調する。
【００６８】
ハイバンド／ローバンド切替スイッチ３４は、ＢＬ端子から印加されるＶＨＦローバンド信号の電源電圧、およびＢＨ端子から印加されるＶＨＦハイバンド信号の電源電圧を受けて、ＶＨＦハイバンド出力２次同調回路３２ｂによって出力同調されたＶＨＦハイバンド信号とＶＨＦローバンド出力２次同調回路３３ｂによって出力同調されたＶＨＦローバンド信号とを切り替え、ＶＨＦミキサー回路３４に出力する（図１参照）。次に、アンテナ入力部３、フィルタ部４、およびＶＨＦ入力同調部５の各具体的な回路構成および動作について順次説明する。
【００６９】
図３は、この発明の実施の形態によるアンテナ入力部３の具体的な回路構成を示した回路図である。
【００７０】
図３を参照して、アンテナ入力部３は、ハイパスフィルタ１０と、抵抗Ｒ３１〜Ｒ３４と、コイルＬ３２〜Ｌ３３と、コンデンサーＣ３２〜Ｃ３４と、スイッチング用ダイオードＤ３１〜Ｄ３３とを含む。ハイパスフィルタ１０は、ＡＮＴ（アンテナ）端子と接地ノードとの間に接続されたコイルＬ３１と、ＡＮＴ端子とノードＮ３１との間に接続されたコンデンサーＣ３１とを有する。
【００７１】
従来のシングルコンバージョン方式のチューナでは、ハイパスフィルタ（ＩＦフィルタ）として、誘導ｍ型ハイパスフィルタ２区間および定Ｋ型ハイパスフィルタ１区間からなる複合型フィルタ（たとえば、ＩＦフィルタ２２）が用いられていた。
【００７２】
この発明の実施の形態によるチューナ１では、上記の複合型フィルタのほかに定Ｋ型のハイパスフィルタ１０を付加することにより、ＣＢ妨害およびＩＦ妨害の除去比を改善することが可能となる。これにより、ＣＢ妨害（４０ＭＨｚ以下）では１０ｄＢ以上、ＩＦ妨害比では１０ｄＢ前後の除去比改善がそれぞれ可能となる。
【００７３】
なお、ハイパスフィルタ１０は、遮断周波数がたとえば３０ＭＨｚ前後となるように設計される。この結果、ハイパスフィルタ１０は、ＡＮＴ端子に雷サージまたは静電気などが加わった場合における放電回路として機能する。この放電回路の設計に際して、コイルＬ３１の使用および配置が重要となる。
【００７４】
図３を参照して、抵抗Ｒ３１は、ノードＮ３１と接地ノードとの間に接続される。スイッチング用ダイオードＤ３１は、ノードＮ３１とノードＮ３３との間にノードＮ３１に向かって順方向に接続される。コイルＬ３２は、ノードＮ３１とノードＮ３２との間に接続される。抵抗Ｒ３２は、ノードＮ３３とＢｕ端子との間に接続される。Ｂｕ端子は、ＵＨＦ信号に対する電源供給端子である。コンデンサーＣ３２は、ノードＮ３３とノードＮ３４との間に接続される。コイルＬ３３は、ノードＮ３４と接地ノードとの間に接続される。ノードＮ３４は、ＵＨＦ入力同調回路１２に接続される（図２参照）。
【００７５】
スイッチング用ダイオードＤ３２は、ノードＮ３２とノードＮ３５との間にノードＮ３２に向かって順方向に接続される。抵抗Ｒ３３は、ノードＮ３５とＢＬ＋ＢＨ端子との間に接続される。ＢＬ＋ＢＨ端子は、ＶＨＦローバンド信号およびＶＨＦハイバンド信号に対する電源供給端子である。スイッチング用ダイオードＤ３３は、ノードＮ３２とノードＮ３６との間にノードＮ３２に向かって順方向に接続される。コンデンサーＣ３４は、ノードＮ３６と接地ノードとの間に接続される。抵抗Ｒ３４は、ノードＮ３６とＢｕ端子との間に接続される。コンデンサーＣ３３は、ノードＮ３５とフィルタ部４との間に接続され、フィルタ部４を介してＶＨＦ入力同調部５に接続される（図２参照）。次に、アンテナ入力部３の回路動作について説明する。
【００７６】
ＵＨＦバンド動作時には、Ｂｕ端子から電源電圧が供給され、ＢＬ＋ＢＨ端子からは電源電圧が供給されない。その結果、スイッチング用ダイオードＤ３１，Ｄ３３がオン状態となり、スイッチング用ダイオードＤ３２がオフ状態となる。アンテナ入力部３のＵＨＦバンド動作時における高周波等価回路３Ｕの回路構成について次に示す。
【００７７】
図４は、アンテナ入力部３のＵＨＦバンド動作時における高周波等価回路３Ｕの回路構成を示した回路図である。
【００７８】
図４を参照して、アンテナ入力部３の高周波等価回路３Ｕは、ハイパスフィルタ１０（図３と同様）と、ノードＮ３１と接地ノードとの間に接続されたコイルＬ３２と、ノードＮ３１とノードＮ３４との間に接続されたコンデンサーＣ３２と、ノードＮ３４と接地ノードとの間に接続されたコイルＬ３３とを有する。ノードＮ３４は、ＵＨＦ入力同調回路１２に接続される（図２参照）。
【００７９】
アンテナ入力部３の高周波等価回路３Ｕは、ハイパスフィルタ１０とともに、コイルＬ３２，Ｌ３３およびコンデンサーＣ３２がハイパスフィルタとして機能する。その結果、高周波等価回路３Ｕの通過帯域は、コイルＬ３２，Ｌ３３およびコンデンサーＣ３２によってＵＨＦ帯域に調整される。したがって、ＵＨＦバンド動作時には、ＡＮＴ端子から入力された信号のうち、ＵＨＦ信号のみがＵＨＦ入力同調回路１２に出力される。
【００８０】
一方、ＶＨＦバンド動作時には、ＢＬ＋ＢＨ端子から電源電圧が供給され、Ｂｕ端子からは電源電圧が供給されない。その結果、スイッチング用ダイオードＤ３２がオン状態となり、スイッチング用ダイオードＤ３１，Ｄ３３がオフ状態となる。アンテナ入力部３のＶＨＦバンド動作時における高周波等価回路３Ｖの回路構成について次に示す。
【００８１】
図５は、アンテナ入力部３のＶＨＦバンド動作時における高周波等価回路３Ｖの回路構成を示した回路図である。
【００８２】
図５を参照して、アンテナ入力部３の高周波等価回路３Ｖは、ハイパスフィルタ１０（図３と同様）と、ハイパスフィルタ１０とフィルタ部４（図２参照）との間に接続されコイルＬ３２とを有する。
【００８３】
アンテナ入力部３の高周波等価回路３Ｖは、コイルＬ３２によって通過帯域がＶＨＦ帯域に調整される。したがって、ＶＨＦバンド動作時には、ＡＮＴ端子から入力された信号のうち、ＶＨＦ信号のみがフィルタ部４を介してＶＨＦ入力同調部５に出力される（図２参照）。
【００８４】
このように、この発明の実施の形態によるアンテナ入力部３は、スイッチング用ダイオードＤ３１〜Ｄ３３を介してＵＨＦ／ＶＨＦ帯ごとに回路動作を切り替えることにより、ＵＨＦ信号とＶＨＦ信号との間の除去比を２０ｄＢ以上改善することが可能となる。
【００８５】
図６は、この発明の実施の形態によるフィルタ部４の具体的な回路構成を示した回路図である。
【００８６】
図６を参照して、フィルタ部４は、ＩＦフィルタ２２と、ＦＭトラップ回路２３とを含む。ＩＦフィルタ２２は、コイルＬ４１〜Ｌ４４と、コンデンサーＣ４１〜Ｃ４４とを有する。コイルＬ４１およびコンデンサーＣ４１は、アンテナ入力部３（図２，３参照）とノードＮ４１との間に並列に接続される。コイルＬ４２は、ノードＮ４１とノードＮ４２との間に接続される。コンデンサーＣ４２は、ノードＮ４１とノードＮ４３との間に接続される。コイルＬ４３は、ノードＮ４３とノードＮ４２との間に接続される。コンデンサーＣ４３は、ノードＮ４２と接地ノードとの間に接続される。コイルＬ４４およびコンデンサーＣ４４は、ノードＮ４３とＦＭトラップ回路２３（ノードＮ４４）との間に並列に接続される。
【００８７】
図６に示すように、この発明の実施の形態によるＩＦフィルタ２２は、誘導ｍ型ハイパスフィルタ２区間および定Ｋ型ハイパスフィルタ１区間からなる複合型のハイパスフィルタである。ＩＦフィルタ２２は、一例として、遮断周波数５０ＭＨｚ、通過帯域５４ＭＨｚ以上で、５〜４６ＭＨｚの帯域で減衰量４０ｄＢ以上のハイパスフィルタとして設計される。
【００８８】
ＦＭトラップ回路２３は、コイルＬ４５，Ｌ４６と、コンデンサーＣ４５〜Ｃ４８と、抵抗Ｒ４１，Ｒ４２と、スイッチング用ダイオードＤ４１とを有する。
【００８９】
コイルＬ４５およびコンデンサーＣ４７は、ノードＮ４４とノードＮ４６との間に並列接続された並列共振構造をとる。コイルＬ４５およびコンデンサーＣ４７の各定数は、共振周波数がたとえば８７ＭＨｚとなるように設定される。コイルＬ４５およびコンデンサーＣ４７からなる並列共振構造のＱ値（Quality Factor）は、ＦＭトラップ回路２３におけるトラップの選択度が可能な限り急峻な特性となるように、通常できるだけ高く設定される。そのため、コイルＬ４５の値は相対的に高く、コンデンサーＣ４７の値は相対的に低くなるようにそれぞれ設定される。
【００９０】
ただし、コンデンサーＣ４７の値は、コンデンサー自体のＱ値を考慮して、たとえば２００ｐＦ前後に設定される。また、コイルＬ４５は、先の高Ｑ値設定の必要から、通常は空芯コイルを採用する。なお、ＦＭトラップ回路２３におけるトラップの特性は、ＵＳ６チャンネルの両側に隣接するチャンネルの特性に対して極端な影響を与えないように調整する必要がある。
【００９１】
コンデンサーＣ４５は、直流阻止コンデンサーであって、ノードＮ４４とノードＮ４５との間に接続される。コンデンサーＣ４５は、たとえば１００００ｐＦに設定される。抵抗Ｒ４１は、ノードＮ４５とＢ１端子との間に接続される。Ｂ１端子は、ＦＭトラップ回路２３をスイッチングする電源電圧を供給するスイッチング用端子である。コンデンサーＣ４６は、バイパスコンデンサーであって、Ｂ１端子と接地ノードとの間に接続される。コンデンサーＣ４６は、たとえば１００００ｐＦに設定される。
【００９２】
抵抗Ｒ４２は、Ｂ１端子と接地ノードとの間に接続される。抵抗Ｒ４１，Ｒ４２は、スイッチング用ダイオードＤ４１に対するバイアス抵抗である。抵抗Ｒ４１，Ｒ４２の合成抵抗は、信号ラインの一般的なインピーダンスである７５Ωの数倍以上に設定する必要がある。特に、抵抗Ｒ４１は、たとえば１ＫΩ以上に設定される。スイッチング用ダイオードＤ４１は、ノードＮ４５とノードＮ４６との間にノードＮ４５に向かって順方向に接続される。
【００９３】
コイルＬ４６は、ノードＮ４６とＦＭ端子との間に接続される。ＦＭ端子は、ＦＭトラップ回路２３をスイッチングする電源電圧を供給するスイッチング用端子である。コイルＬ４６は、ＲＦチョークコイルとしての機能を有する。そのため、コイルＬ４６のインダクタンスは、コイルＬ４５およびコンデンサーＣ４７の共振周波数におけるリアクタンスが信号ラインの一般的なインピーダンスである７５Ωの数倍であると仮定して計算する。
【００９４】
コンデンサーＣ４８は、バイパスコンデンサーであって、ＦＭ端子と接地ノードとの間に接続される。コンデンサーＣ４８は、たとえば１０００ｐＦに設定される。ノードＮ４６は、ＶＨＦ入力同調部５に接続される（図２参照）。
【００９５】
図６に示すように、この発明の実施の形態によるＦＭトラップ回路２３は、コイルＬ４５およびコンデンサーＣ４７からなる並列共振構造を含む。ＦＭトラップ回路２３は、スイッチング用ダイオードＤ４１を介したスイッチング制御により、ＦＭトラップ回路２３の有効／無効を切り替えることができる。次に、ＦＭトラップ回路２３の回路動作について説明する。
【００９６】
ＦＭ端子から電源電圧が供給され、Ｂ１端子からは電源電圧が供給されないとき、スイッチング用ダイオードＤ４１には順方向電圧が印加されて導通する。その結果、コイルＬ４５およびコンデンサーＣ４７からなる並列共振構造が働かず、ＦＭトラップ回路２３は無効（ショート）となる。
【００９７】
一方、Ｂ１端子から電源電圧が供給され、ＦＭ端子からは電源電圧が供給されないとき、スイッチング用ダイオードＤ４１には逆方向電圧が印加されて非導通となる。その結果、コイルＬ４５およびコンデンサーＣ４７からなる並列共振構造が機能し、ＦＭトラップ回路２３は有効となる。
【００９８】
このように、この発明の実施の形態によるフィルタ部４は、スイッチング用ダイオードＤ４１を介してＦＭトラップ回路２３の有効／無効を切り替えることができる。ＦＭトラップ回路２３の有効／無効は、たとえばＶＨＦローバンド信号受信時とＵＳ６チャンネル信号受信時とで切り替えることができる。
【００９９】
ＵＳ６チャンネル信号受信時にＦＭトラップ回路２３を有効にして９０ＭＨｚ前後でのＦＭトラップを実行することにより、ＵＳ６チャンネルにおける相互変調（Inter Modulation；ＩＭ）歪みを改善することができる。ＩＭ歪みはＵＳ６チャンネルと音声周波数等とにより２次，３次歪みが発生するが、この周波数領域（９０ＭＨｚ前後）にＦＭトラップ挿入することにより、それらを改善することができる。その結果、ＵＳ６チャンネルにおけるビート妨害を２０ｄＢ以上改善することが可能となる。
【０１００】
図７は、この発明の実施の形態によるＶＨＦ入力同調部５の具体的な回路構成を示した回路図である。
【０１０１】
図７を参照して、ＶＨＦ入力同調部５は、コンデンサーＣ５１〜Ｃ６１と、コイルＬ５１〜Ｌ５６と、抵抗Ｒ５１〜Ｒ５４と、ＡＧＣ抵抗２９と、スイッチング用ダイオードＤ５１，Ｄ５２と、同調用可変容量ダイオードＤ５３と、結合用可変容量ダイオードＤ５４と、ＶＨＦ高周波増幅器（ＭＯＳトランジスタ）３０とを含む。
【０１０２】
コンデンサーＣ５１およびコイルＬ５１は、ＦＭトラップ回路２３（図２，６参照）とノードＮ５１との間に直列に接続される。コンデンサーＣ５１は、直流阻止コンデンサーである。コンデンサーＣ５２は、ＦＭトラップ回路２３とノードＮ５２との間に接続される。コイルＬ５２は、ＲＦチョークコイルであって、ＦＭトラップ回路２３とＢＬ端子との間に接続される。ＢＬ端子は、ＶＨＦローバンド信号に対する電源供給端子である。コンデンサーＣ５３は、バイパスコンデンサーであって、ＢＬ端子と接地ノードとの間に接続される。
【０１０３】
スイッチング用ダイオードＤ５１は、ＦＭトラップ回路２３とノードＮ５２との間にＦＭトラップ回路２３に向かって順方向に接続される。コンデンサーＣ５４およびコイルＬ５３は、ノードＮ５１とノードＮ５３との間に並列に接続される。スイッチング用ダイオードＤ５２は、ＦＭトラップ回路２３とノードＮ５３との間にＦＭトラップ回路２３に向かって順方向に接続される。コイルＬ５４は、ノードＮ５１とノードＮ５２との間に接続される。
【０１０４】
抵抗Ｒ５１は、ノードＮ５２とノードＮ５３との間に接続される。コイルＬ５５は、ノードＮ５１とＢＨ端子との間に接続される。ＢＨ端子は、ＶＨＦハイバンド信号に対する電源供給端子である。コンデンサーＣ５５は、バイパスコンデンサーであって、ＢＨ端子と接地ノードとの間に接続される。抵抗Ｒ５２は、ＢＨ端子と接地ノードとの間に接続される。
【０１０５】
コンデンサーＣ５６は、直流阻止コンデンサーであって、ノードＮ５３とノードＮ５４との間に接続される。コンデンサーＣ５７は、ノードＮ５４とノードＮ５６との間に接続される。コイルＬ５６は、ノードＮ５４とノードＮ５５との間に接続される。コンデンサーＣ５８は、ノードＮ５４とノードＮ５５との間に接続される。抵抗Ｒ５３は、ノードＮ５５とＶｔ端子との間に接続される。Ｖｔ端子は、ＶＨＦ入力同調部５などに対する同調端子である。コンデンサーＣ５９は、バイパスコンデンサーであって、Ｖｔ端子と接地ノードとの間に接続される。
【０１０６】
同調用可変容量ダイオードＤ５３は、ノードＮ５５と接地ノードとの間にノードＮ５５に向かって順方向に接続される。結合用可変容量ダイオードＤ５４は、ノードＮ５５とノードＮ５６との間にノードＮ５５に向かって順方向に接続される。結合用可変容量ダイオードＤ５４は、整合用可変容量コンデンサーとしても機能する。結合用可変容量ダイオードＤ５４の可変容量変化量は、ＶＨＦ帯がＵＨＦ帯に比べて受信周波数が低いことから、ＵＨＦ帯に比べて大きくなる。
【０１０７】
結合用可変容量ダイオードＤ５４は、ローエンドの同調容量が大きい。すなわち、結合用可変容量ダイオードＤ５４の最小容量が４．５ｐＦであった場合、ＳＮ（Signal to Noise）比が８であったとすると、結合用可変容量ダイオードＤ５４の同調容量は３６ｐＦとなる。これにより、実効Ｑ値が大となって不整合損失が増大し、雑音指数（Noise Figure）およびチャンネル間感度偏差が劣化する。結合用可変容量ダイオードＤ５４を用いることにより、この雑音指数およびチャンネル間感度偏差の劣化を軽減することができる。
【０１０８】
抵抗Ｒ５４は、ノードＮ５６と接地ノードとの間に接続される。ＶＨＦ高周波増幅器（ＭＯＳトランジスタ）３０は、ソースがＡＧＣ抵抗２９を介してＡＧＣ端子に接続され、ドレインがコンデンサーＣ６０を介してノードＮ５６に接続され、バックゲートが接地ノードに接続される。コンデンサーＣ６０は、直流阻止コンデンサーである。また、ＡＧＣ端子は、図示しない映像信号復調回路より利得制御信号を受ける。コンデンサーＣ６１は、バイパスコンデンサーであって、ＡＧＣ端子と接地ノードとの間に接続される。ＭＯＳトランジスタ３０のゲートは、ＶＨＦ出力同調部６に接続される（図２参照）。次に、ＶＨＦ入力同調部５の回路動作について説明する。
【０１０９】
ＶＨＦハイバンド動作時には、ＢＨ端子から電源電圧が供給され、ＢＬ端子からは電源電圧が供給されない。その結果、スイッチング用ダイオードＤ５１，Ｄ５２がともにオン状態となる。ＶＨＦ入力同調部５のＶＨＦハイバンド動作時における高周波等価回路５Ｈの回路構成について次に示す。
【０１１０】
図８は、ＶＨＦ入力同調部５のＶＨＦハイバンド動作時における高周波等価回路５Ｈの回路構成を示した回路図である。
【０１１１】
図８を参照して、ＶＨＦ入力同調部５の高周波等価回路５Ｈは、コイルＬ５５，Ｌ５６と、コンデンサーＣ５６〜Ｃ５８，Ｃ６０と、同調用可変容量ダイオードＤ５３と、結合用可変容量ダイオードＤ５４と、ＶＨＦ高周波増幅器（ＭＯＳトランジスタ）３０とを含む。
【０１１２】
コイルＬ５５は、ＦＭトラップ回路２３（図２，６参照）と接地ノードとの間に接続される。コンデンサーＣ５６は、直流阻止コンデンサーであって、ＦＭトラップ回路２３とノードＮ５４との間に接続される。コンデンサーＣ５７は、ノードＮ５４とノードＮ５６との間に接続される。コイルＬ５６は、ノードＮ５４とノードＮ５５との間に接続される。コンデンサーＣ５８は、ノードＮ５４とノードＮ５５との間に接続される。
【０１１３】
同調用可変容量ダイオードＤ５３は、ノードＮ５５と接地ノードとの間にノードＮ５５に向かって順方向に接続される。結合用可変容量ダイオードＤ５４は、ノードＮ５５とノードＮ５６との間にノードＮ５５に向かって順方向に接続される。ＶＨＦ高周波増幅器（ＭＯＳトランジスタ）３０は、ドレインがコンデンサーＣ６０を介してノードＮ５６に接続され、バックゲートが接地ノードに接続される。コンデンサーＣ６０は、直流阻止コンデンサーである。ＭＯＳトランジスタ３０のゲートは、ＶＨＦ出力同調部６に接続される（図２参照）。
【０１１４】
ＶＨＦハイバンド動作時には、図５で説明したアンテナ入力部３の高周波等価回路３ＶにおけるコイルＬ３２が、整合インダクターとなる。また、図８を参照して、直列接続されたコイルＬ５５，Ｌ５６が同調インダクターとなり、同調用可変容量ダイオードＤ５３の容量がその同調容量となる。
【０１１５】
コンデンサーＣ５７は、コイルＬ５６および結合用可変容量ダイオードＤ５４とループを形成し、ＶＨＦハイバンドのイメージトラップを行なう。コンデンサーＣ５７の値は、結合用可変容量ダイオードＤ５４が容量可変であることから、ＶＨＦハイバンド全領域にわたってイメージトラップが追従するように決定する必要がある。コンデンサーＣ５８は、トラッキング補正用コンデンサーとして機能する。すなわち、コンデンサーＣ５８がコイルＬ５６と並列に接続されることにより、コイルＬ５６のインダクタンスが等価的に減少する。したがって、同調周波数変化の抑制が可能となる。
【０１１６】
一方、ＶＨＦローバンド動作時には、ＢＬ端子から電源電圧が供給され、ＢＨ端子からは電源電圧が供給されない。その結果、スイッチング用ダイオードＤ５１，Ｄ５２がともにオフ状態となる。ＶＨＦ入力同調部５のＶＨＦローバンド動作時における高周波等価回路５Ｌの回路構成について次に示す。
【０１１７】
図９は、ＶＨＦ入力同調部５のＶＨＦローバンド動作時における高周波等価回路５Ｌの回路構成を示した回路図である。
【０１１８】
図９を参照して、ＶＨＦ入力同調部５の高周波等価回路５Ｌは、コンデンサーＣ５１，Ｃ５２，Ｃ５４，Ｃ５６〜Ｃ５８，Ｃ６０と、コイルＬ５１，Ｌ５３〜Ｌ５６と、抵抗Ｒ５１と、同調用可変容量ダイオードＤ５３と、結合用可変容量ダイオードＤ５４と、ＶＨＦ高周波増幅器（ＭＯＳトランジスタ）３０とを含む。
【０１１９】
コンデンサーＣ５１およびコイルＬ５１は、ＦＭトラップ回路２３（図２，６参照）とノードＮ５１との間に直列に接続される。コンデンサーＣ５１は、直流阻止コンデンサーである。コンデンサーＣ５２は、ＦＭトラップ回路２３とノードＮ５２との間に接続される。コンデンサーＣ５４およびコイルＬ５３は、ノードＮ５１とノードＮ５３との間に並列に接続される。
【０１２０】
コイルＬ５４は、ノードＮ５１とノードＮ５２との間に接続される。コイルＬ５５は、ノードＮ５１と接地ノードとの間に接続される。抵抗Ｒ５１は、ノードＮ５２とノードＮ５３との間に接続される。コンデンサーＣ５６は、直流阻止コンデンサーであって、ノードＮ５３とノードＮ５４との間に接続される。コンデンサーＣ５７は、ノードＮ５４とノードＮ５６との間に接続される。コイルＬ５６は、ノードＮ５４とノードＮ５５との間に接続される。コンデンサーＣ５８は、ノードＮ５４とノードＮ５５との間に接続される。
【０１２１】
同調用可変容量ダイオードＤ５３は、ノードＮ５５と接地ノードとの間にノードＮ５５に向かって順方向に接続される。結合用可変容量ダイオードＤ５４は、ノードＮ５５とノードＮ５６との間にノードＮ５５に向かって順方向に接続される。ＶＨＦ高周波増幅器（ＭＯＳトランジスタ）３０は、ドレインがコンデンサーＣ６０を介してノードＮ５６に接続され、バックゲートが接地ノードに接続される。コンデンサーＣ６０は、直流阻止コンデンサーである。ＭＯＳトランジスタ３０のゲートは、ＶＨＦ出力同調部６に接続される（図２参照）。
【０１２２】
ＶＨＦローバンド動作時には、コイルＬ５１が整合インダクターとなる。また、直列接続されたコイルＬ５３〜Ｌ５６がほぼ同調インダクターとなり、同調用可変容量ダイオードＤ５３の容量がその同調容量となる。
【０１２３】
コンデンサーＣ５４は、コイルＬ５３と並列回路を構成し、イメージトラップを形成するコンデンサーである。コンデンサーＣ５２は、コイルＬ５１，Ｌ５５と誘導ｍ型のローパスフィルタを構成し、イメージ周波数以上の高い周波数領域における選択度および同調特性を低減する。抵抗Ｒ５１は、ダンピング抵抗として働き、ＶＨＦハイバンド動作時との感度偏差の抑制および帯域特性の補正を行なう。ただし、抵抗Ｒ５１の抵抗値によっては雑音指数が劣化するため、当該抵抗値の決定には注意を要する。
【０１２４】
このように、この発明の実施の形態によるＶＨＦ入力同調部５は、スイッチング用ダイオードＤ５１，Ｄ５２を介してＶＨＦ帯のハイバンド／ローバンドごとに回路動作を切り替えることができる。
【０１２５】
ＶＨＦハイバンド受信時には、図５で説明したアンテナ入力部３の高周波等価回路３ＶにおけるコイルＬ３２が整合インダクターとなる。これにより、妨害信号に対する高周波数側の選択度特性が大幅に改善される。その結果、ＶＨＦハイバンド受信時における妨害信号除去比およびイメージ信号除去比が改善される。
【０１２６】
また、ＶＨＦ入力同調部５においてコンデンサーＣ５７を用いることにより、ＶＨＦハイバンド受信時には、コイルＬ５６および結合用可変容量ダイオードＤ５４との間で共振構造が形成される。これにより、可変型のイメージトラップ回路が形成され、ＶＨＦハイバンド受信時におけるイメージ除去比が大幅に改善される。イメージ信号に対する妨害信号の影響を軽減することにより、従来は−５０ｄＢｃ前後であったイメージ除去比を−５５ｄＢｃ以上に改善することが可能となる。
【０１２７】
また、ＶＨＦ入力同調部５においてコンデンサーＣ５８を用いることにより、同調用可変容量ダイオードＤ５３の容量変化範囲をコンデンサーＣ５８によって制御することができる。その結果、ＶＨＦハイバンド受信時における高周波増幅回路２とＶＨＦ局部発振回路３７，３８との間のトラッキング特性が改善される。
【０１２８】
一方、ＶＨＦローバンド受信時には、ＶＨＦ入力同調部５がコンデンサーＣ５２およびコイルＬ５１，Ｌ５５からなる誘導ｍ型のローパスフィルタとして動作する。これにより、ＶＨＦハイバンドおよびＵＨＦ帯の妨害信号による影響およびイメージ信号に対する妨害信号の影響を軽減することができる。
【０１２９】
また、ＶＨＦ入力同調部５においてコンデンサーＣ５４を用いることにより、ＶＨＦローバンド受信時には、コイルＬ５３との間で並列回路を構成する。これにより、イメージトラップ回路が形成され、イメージ信号除去比が大幅に改善される。
【０１３０】
ＶＨＦハイバンドおよびＵＨＦ帯の妨害信号による影響を軽減することにより、従来は受信チャンネルと妨害チャンネルとの選択度の相対比が−１０ｄＢｃ程度であったのを−４０ｄＢｃ以上に改善することが可能となる。また、イメージ信号に対する妨害信号の影響を軽減することにより、従来は−５０ｄＢｃ前後であったイメージ除去比を−５５ｄＢｃ以上に改善することが可能となる。
【０１３１】
以上のように、この発明の実施の形態によるチューナ１は、アンテナ入力部３において、スイッチング用ダイオードＤ３１〜Ｄ３３を介してＵＨＦ／ＶＨＦ帯ごとに回路動作を切り替えることができる。また、フィルタ部４において、スイッチング用ダイオードＤ４１を介してＦＭトラップ回路２３の有効／無効を切り替えることができる。また、ＶＨＦ入力同調部５において、スイッチング用ダイオードＤ５１，Ｄ５２を介してＶＨＦ帯のハイバンド／ローバンドごとに回路動作を切り替えることができる。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３３】
【図１】この発明の実施の形態によるシングルコンバージョン方式のチューナ１の概略的なブロック構成を示した概略ブロック図である。
【図２】この発明の実施の形態による高周波増幅回路２Ａの具体的なブロック構成を示したブロック図である。
【図３】この発明の実施の形態によるアンテナ入力部３の具体的な回路構成を示した回路図である。
【図４】アンテナ入力部３のＵＨＦバンド動作時における高周波等価回路３Ｕの回路構成を示した回路図である。
【図５】アンテナ入力部３のＶＨＦバンド動作時における高周波等価回路３Ｖの回路構成を示した回路図である。
【図６】この発明の実施の形態によるフィルタ部４の具体的な回路構成を示した回路図である。
【図７】この発明の実施の形態によるＶＨＦ入力同調部５の具体的な回路構成を示した回路図である。
【図８】ＶＨＦ入力同調部５のＶＨＦハイバンド動作時における高周波等価回路５Ｈの回路構成を示した回路図である。
【図９】ＶＨＦ入力同調部５のＶＨＦローバンド動作時における高周波等価回路５Ｌの回路構成を示した回路図である。
【図１０】従来のシングルコンバージョン方式のチューナ１００の概略的なブロック構成を示した概略ブロック図である。
【図１１】従来のシングルコンバージョン方式のチューナ１００の具体的な回路構成の一部を示した回路図である。
【符号の説明】
【０１３４】
１，１００  チューナ、２，２Ａ  高周波増幅回路、３  アンテナ入力部、４  フィルタ部、５，２００  ＶＨＦ入力同調部、６，３００  ＶＨＦ出力同調部、１０  ハイパスフィルタ、１１  ＵＨＦ入力回路、１２，１０３  ＵＨＦ入力同調回路、１３，２９，１０４，１１２  ＡＧＣ抵抗、１４，１０５  ＵＨＦ高周波増幅器、１５，１０６  ＵＨＦ出力同調回路、１５ａ  ＵＨＦ出力１次同調回路、１５ｂ  ＵＨＦ出力２次同調回路、１６，１０７  ＵＨＦミキサー回路、１７，１０８  ＵＨＦ局部発振回路、２１  ＶＨＦ入力回路、２２，１０１  ＩＦフィルタ、２３  ＦＭトラップ回路、２４  トラップ切替スイッチ、２５，３１，３４，１０９，１１４，１１７  ハイバンド／ローバンド切替スイッチ、２６，１１０  ＶＨＦハイバンド入力同調回路、２７  ローパスフィルタ、２８，１１１  ＶＨＦローバンド入力同調回路、３０，１１３  ＶＨＦ高周波増幅器、３２，１１５  ＶＨＦハイバンド出力同調回路、３２ａ  ＶＨＦハイバンド出力１次同調回路、３２ｂ  ＶＨＦハイバンド出力２次同調回路、３３，１１６  ＶＨＦローバンド出力同調回路、３３ａ  ＶＨＦローバンド出力１次同調回路、３３ｂ  ＶＨＦローバンド出力２次同調回路、３５，１１８  ＶＨＦミキサー回路、３６，１１９  局部発振信号切替スイッチ、３７，３８，１２０，１２１  ＶＨＦ局部発振回路、４０，１２２  ＩＦ増幅回路、１０２  入力回路。
【図１】
2005109799.tif 000003
【図２】
2005109799.tif 000004
【図３】
2005109799.tif 000005
【図４】
2005109799.tif 000006
【図５】
2005109799.tif 000007
【図６】
2005109799.tif 000008
【図７】
2005109799.tif 000009
【図８】
2005109799.tif 000010
【図９】
2005109799.tif 000011
【図１０】
2005109799.tif 000012
【図１１】
2005109799.tif 000013